(57)【要約】      （修正有）【課題】ティッシュペーパー箱が深箱であっても、底部近傍のティッシュペーパーを容易に取り出すことができるティッシュペーパー箱を提供する。【解決手段】箱本体２の上部に取り出し口２０が設けられ、取り出し口２０がフイルムで覆われているとともに、フイルムに線状に切れ目１５，１６が形成されてなるスリット１７を有する。スリット１７は、フイルムに長い線状の切れ目１５と短い線状の切れ目１６とが略直角に交差して十字状、または、長い線状の切れ目１５に短い線状の切れ目１６が略直角に繋がってＴ字状に形成されている。【選択図】図２
0003165186.tif 000002
【実用新案登録請求の範囲】
【請求項１】
箱本体の上部に取り出し口が設けられ、該取り出し口がフイルムで覆われているとともに、該フイルムに線状に切れ目が形成されてなるスリットを有し、該スリットからティッシュペーパーを順次引き出すように構成されたティッシュペーパー箱であって、
前記スリットは、前記フイルムに長い線状の切れ目と短い線状の切れ目とが略直角に交差して十字状、または、長い線状の切れ目に短い線状の切れ目が略直角に繋がってＴ字状に形成されていることを特徴とするティッシュペーパー箱。
【考案の詳細な説明】
【技術分野】
【０００１】
本考案は、多数枚の折り畳まれたティッシュペーパーが収容されるティッシュペーパー箱に関し、特に、本体の内部に収容されたティッシュペーパーを、最後まで確実に取り出すことができるようにしたティッシュペーパー箱に関するものである。
【背景技術】
【０００２】
ティッシュペーパー箱は、箱本体に多数枚の折り畳まれたティッシュペーパを収納し、箱本体の上部にティッシュペーパーの取り出し口が設けられている。この取り出し口には、樹脂製の透明なフイルムが取り出し口を覆って取り付けられ、該フイルムの中央に長手方向に１本のスリットが形成されてなる。このスリットからティッシュペーパーが順次引き出されて使用されている。
【考案の概要】
【考案が解決しようとする課題】
【０００３】
従来のティッシュペーパー箱は、箱本体上部の取り出し口のフイルムに設けられた１本のスリットからティッシュペーパーを順次引き出して使用しているが、ティッシュペーパー箱が深箱の場合、底部近傍のティッシュペーパーの取り出しに時間がかかったり、または、底部近傍のティッシュペーパーを取り出せないことがあり、改善が望まれていた。
【０００４】
本考案は上記課題を解決するもので、ティッシュペーパー箱が深箱であっても、底部近傍のティッシュペーパーを容易に取り出すことができるティッシュペーパー箱を提供するものである。
【課題を解決するための手段】
【０００５】
前記課題を解決するために請求項１記載の考案は、箱本体の上部に取り出し口が設けられ、該取り出し口がフイルムで覆われているとともに、該フイルムに線状に切れ目が形成されてなるスリットを有し、該スリットからティッシュペーパーを順次引き出すように構成されたティッシュペーパー箱であって、前記スリットは、前記フイルムに長い線状の切れ目と短い線状の切れ目とが略直角に交差して十字状、または、長い線状の切れ目に短い線状の切れ目が略直角に繋がってＴ字状に形成されていることを特徴とするティッシュペーパー箱である。
【考案の効果】
【０００６】
本考案のティッシュペーパー箱は、箱本体の上部の取り出し口を覆うフイルムにスリットが十字状、または、Ｔ字状に形成されている。ティッシュペーパーは、スリット中央の十字状、または、Ｔ字状の部分で数本の指を挿入して、底部近傍のティッシュペーパーを容易に取り出すことができる。
【図面の簡単な説明】
【０００７】
【図１】本考案の実施例１によるティッシュペーパー箱の展開図である。
【図２】本考案の実施例１によるティッシュペーパー箱の斜視図である。
【図３】本考案の実施例２によるティッシュペーパー箱の上面図である。
【考案を実施するための形態】
【０００８】
以下、図面に基づいて本考案の実施の形態を説明する。
【実施例１】
【０００９】
図１は、本考案の実施例１によるティッシュペーパー箱の展開図、図２は、実施例１のティッシュペーパー箱の斜視図である。
【００１０】
図１において、ティッシュペーパー箱１は、紙製の箱本体２と、透明なフイルム３とから形成されている。紙製の箱本体２は、正面板４と、背面板５と、上面板６と、底面板７と、上面板６の長手方向の両側に設けられた側面板６ａ，６ｂと、底面板７の長手方向の両側に設けられた側面板７ａ，７ｂおよび底面板７の短手方向の外側に設けられた接着片７ｃと、正面板４の長手方向の両側に設けられた接着片４ａ，４ｂと、背面板５の長手方向の両側に設けられた接着片５ａ，５ｂとから構成されている。
【００１１】
そして、紙製の箱本体２の各部の境界には、折り曲げ線が設けられている。即ち、背面板５と上面板６との境界には、折り曲げ線１１が設けられ、上面板６と正面板４との境界には、折り曲げ線１２が設けられ、正面板４と底面板７
との境界には、折り曲げ線１３が設けられている。
【００１２】
また、正面板４と接着片４ａ，４ｂとの境界には、折り曲げ線４１，４２が設けられ、背面板５と接着片５ａ，５ｂとの境界には、折り曲げ線５１，５２が設けられ、上面板６と側面板６ａ，６ｂとの境界には、折り曲げ線６１，６２が設けられ、底面板７と側面板７ａ，７ｂとの境界および底面板７と接着片７ｃとの境界には、折り曲げ線７１，７２，７３が設けられている。
【００１３】
折り曲げ線１１，１２，１３，４１，４２，５１，５２，６１，６２，７１，７２，７３は、箱本体２の組み立て時、箱本体２における上記した各部の境界を容易に折り曲げて、箱本体２を直方体から成る箱状にすることができる。そして、箱状に組み立てられた箱本体２には、内部にティッシュペーパーが収納される。その後、接着片４ａ，４ｂ，５ａ，５ｂ，７ｃを接着剤の塗布面として、接着片４ａ，５ａと側面板６ａ，７ａ間と、接着片４ｂ，５ｂと側面板６ｂ，７ｂ間、及び接着片７ｃと背面板５間に接着が行われて図２に示すティッシュペーパー箱が完成する。
【００１４】
箱本体２の上面板６の中央部には、長輪状のミシン目線１４によって囲まれた切取部が設けられ、この切取部をミシン目線１４に沿って切除すると中央の膨らんだ帯状の取り出し口２０が形成される。
【００１５】
図２において、帯状の取り出し口２０は、上面板６の裏面側に貼り付けられているフイルム３により閉塞されている。帯状の取り出し口２０を閉塞しているフイルム３の帯状の領域２０ａにおいて、短手方向の中央に位置して長手方向に長い直線状の切れ目１５と、長手方向の中央に位置して短手方向に短い直線状の切れ目１６とが形成されている。これら長い直線状の切れ目１５と短い直線状の切れ目１６は、帯状の領域２０ａの中心付近で略直角に交差して、十字状にスリット１７が形成されている。
【００１６】
ティッシュペーパー箱１の内部に収納されている多数枚の折り畳まれたティッシュペーパーは、十字状のスリット１７を通して引き出すことができる。
【００１７】
十字状のスリット１７は、ティッシュペーパーを十字状のスリット１７を通して引き出した後に、次に待機しているティッシュペーパーがスリット１７の通過部分において、長い線状の切れ目１５の両端近傍のフイルム３によりティッシュペーパーの両端部分が挟持されて、スリット１７上に途中まで引き出された状態で保持されるように、ティッシュペーパー箱１に収納されている折り畳まれたティッシュペーパーの大きさに応じて、長い線状の切れ目１５の長さと、短い線状の切れ目１６の長さが選ばれている。
【００１８】
そして、ティッシュペーパー箱１の内部に収納されている折り畳まれたティッシュペーパーが少なくなると、十字状のスリット１７から親指と人差し指の２本を挿入させたり、人差し指と中指の２本を挿入させる等、数本の指を根元まで挿入して、底部近傍のティッシュペーパーを容易に取り出すことができる。
【実施例２】
【００１９】
図３は、本考案の実施例２によるティッシュペーパー箱の上面図である。実施例２のティッシュペーパー箱１は、スリットの形状が実施例１と異なるが、他の構成は同じである。実施例２については、図３を参照して、スリットの構成を詳細に説明する。
【００２０】
フイルム３の帯状の取り出し口２０を閉塞している帯状の領域２０ａにおいて、短手方向の中央に位置して長手方向に長い直線状の切れ目１５と、長手方向の中央に位置して短手方向に短い直線状の切れ目１６ａとが形成されている。短い直線状の切れ目１６ａは、長い直線状の切れ目１５の中心付近に繋がって、Ｔ字状にスリット１８が形成されている。
【００２１】
この場合も、Ｔ字状のスリット１８は、ティッシュペーパーをＴ字状のスリット１８を通して引き出した後に、次に待機しているティッシュペーパーがスリット１８の通過部分において、長い線状の切れ目１５の両端近傍のフイルム３によりティッシュペーパーの両端部分が挟持されて、スリット１８上に途中まで引き出された状態で保持されるように、ティッシュペーパー箱１に収納されている折り畳まれたティッシュペーパーの大きさに応じて、長い線状の切れ目１５の長さと、短い線状の切れ目１６ａの長さが選ばれている。
【００２２】
実施例２においても、ティッシュペーパー箱１の内部に収納されている折り畳まれたティッシュペーパーが少なくなると、Ｔ字状のスリット１８から数本の指を挿入して、底部近傍のティッシュペーパーを容易に取り出すことができる。
【符号の説明】
【００２３】
１  ティッシュペーパー箱
２  箱本体
３  フイルム
４  正面板
４ａ，４ｂ，５ａ，５ｂ，７ｃ  接着片
５  背面板
６  上面板
６ａ，６ｂ，７ａ，７ｂ  側面板
７  底面板
１０  樹脂製シート
１０ａ，１０ｂ，１０ｃ，１０ｄ，２０ａ，２０ｂ  直線状の折り目
１１，１２，１３，４１，４２，５１，５２，６１，６２，７１，７２，７３  折り曲げ線
１４  ミシン目線
１５，１６，１６ａ  切れ目
１７  十字状のスリット
１８  Ｔ字状のスリット
２０  帯状の取り出し口
２０ａ  領域
【図１】
0003165186.tif 000003
【図２】
0003165186.tif 000004
【図３】
0003165186.tif 000005
【手続補正書】
【提出日】平成22年11月5日(2010.11.5)
【手続補正１】
【補正対象書類名】明細書
【補正対象項目名】００１７
【補正方法】変更
【補正の内容】
【００１７】
十字状のスリット１７は、ティッシュペーパーを十字状のスリット１７を通して引き出した後に、次に待機しているティッシュペーパーがスリット１７の通過部分において、長い線状の切れ目１５の両端近傍のフイルム３によりティッシュペーパーの両端部分が挟持されるように、ティッシュペーパー箱１に収納されている折り畳まれたティッシュペーパーの大きさに応じて、長い線状の切れ目１５の長さと、短い線状の切れ目１６の長さが選ばれている。
十字状のスリット１７は、十字の部分でティッシュペーパーを摘み出し易く、また、ティッシュペーパーを引き出したときに、フイルム３による挟持力が十分に確保されているので、ティッシュペーパーがスリット１７から引き出された後、後続のティッシュペーパーが途中から落ちることはない。
【手続補正２】
【補正対象書類名】明細書
【補正対象項目名】００２１
【補正方法】変更
【補正の内容】
【００２１】
この場合も、Ｔ字状のスリット１８は、ティッシュペーパーをＴ字状のスリット１８を通して引き出した後に、次に待機しているティッシュペーパーがスリット１８の通過部分において、長い線状の切れ目１５の両端近傍のフイルム３によりティッシュペーパーの両端部分が挟持されるように、ティッシュペーパー箱１に収納されている折り畳まれたティッシュペーパーの大きさに応じて、長い線状の切れ目１５の長さと、短い線状の切れ目１６ａの長さが選ばれている。
Ｔ字状のスリット１８は、Ｔ字の部分でティッシュペーパーを摘み出し易く、また、ティッシュペーパーを引き出したときに、長い線状の切れ目１５の両端近傍のフイルム３による挟持力が十分に確保されているので、ティッシュペーパーがスリット１７から引き出された後、後続のティッシュペーパーが途中から落ちることはない。